(57)【要約】  本技術は、製品のデザイン性を向上させることができる表示モジュールを、様々なタイプの製品に適用可能とすることができるようにする表示モジュールに関する。表示モジュールは、可撓性を有するシート状の表示部と、表示部の表示パターンを切り替えるスイッチ部と、スイッチ部からの切替制御信号に基づいて表示部の表示パターンを制御する制御部とを備える。表示部と制御部、及び、制御部とスイッチ部は、配線ケーブルを用いて電気的に接続されている。本技術は、例えば、表示柄を変更できるバッグ等に適用できる。
2017199770.tif 000002
【特許請求の範囲】
【請求項１】
可撓性を有するシート状の表示部と、
前記表示部の表示パターンを切り替えるスイッチ部と、
前記スイッチ部からの切替制御信号に基づいて前記表示部の表示パターンを制御する制御部と
を備え、
前記表示部と前記制御部、及び、前記制御部と前記スイッチ部は、配線ケーブルを用いて電気的に接続されている
表示モジュール。
【請求項２】
前記表示部は、他の部材と接続するための接続部を有する
請求項１に記載の表示モジュール。
【請求項３】
前記接続部は、複数の穴で構成され、
細長形状の前記他の部材が前記穴に通されることで、前記他の部材と前記表示部が接続される
請求項２に記載の表示モジュール。
【請求項４】
前記穴を通した細長形状の前記他の部材が前面に配置された前記表示部の領域は、外観上、前記制御部による制御によって表示が変化しない非表示領域を構成する
請求項３に記載の表示モジュール。
【請求項５】
所定の状態を検出するセンサをさらに備え、
前記制御部は、さらに、前記センサが出力するセンサ信号に基づいて前記表示部の表示パターンを制御する
請求項１に記載の表示モジュール。
【請求項６】
前記スイッチ部からの切替制御信号に基づいて前記表示パターンを切り替える第１の動作モードと、センサ信号に基づいて前記表示パターンを切り替える第２の動作モードとを切り替えるモードスイッチ部をさらに備える
請求項１に記載の表示モジュール。
【請求項７】
前記接続部は、前記表示部の表示領域に形成されている
請求項２に記載の表示モジュール。
【請求項８】
前記表示部は、表示領域と、その周辺の非表示領域とで構成され、
前記接続部は、前記非表示領域に形成されている
請求項２に記載の表示モジュール。
【請求項９】
前記他の部材は、バッグの生地である
請求項２に記載の表示モジュール。
【発明の詳細な説明】
【技術分野】
【０００１】
本技術は、表示モジュールに関し、特に、製品のデザイン性を向上させることができる表示モジュールを、様々なタイプの製品に適用可能にした表示モジュールに関する。
【背景技術】
【０００２】
本出願人は、電子ペーパなどと呼ばれるフレキシブル性と低消費電力性を備えた表示モジュールを、バッグ（鞄）、バングル（ブレスレット）、ネクタイ（蝶ネクタイも含む）などに適用し、デザイン性を向上させた製品を提案している（例えば、特許文献１参照）。
【先行技術文献】
【特許文献】
【０００３】
【特許文献１】国際公開第２０１５／１８２７０１号
【発明の概要】
【発明が解決しようとする課題】
【０００４】
しかしながら、例えばバッグにも、トートバッグ、クラッチバッグ、ボストンバッグ、リュックサックなど、多くの種類及び形状が存在し、その都度、表示モジュールを設計していたのではコストが増大する。【０００５】
本技術は、このような状況に鑑みてなされたものであり、製品のデザイン性を向上させることができる表示モジュールを、様々なタイプの製品に適用可能とするものである。
【課題を解決するための手段】
【０００６】
本技術の一側面の表示モジュールは、可撓性を有するシート状の表示部と、前記表示部の表示パターンを切り替えるスイッチ部と、前記スイッチ部からの切替制御信号に基づいて前記表示部の表示パターンを制御する制御部とを備え、前記表示部と前記制御部、及び、前記制御部と前記スイッチ部は、配線ケーブルを用いて電気的に接続されている。【０００７】
本技術の一側面においては、可撓性を有するシート状の表示部と、前記表示部の表示パターンを切り替えるスイッチ部と、前記スイッチ部からの切替制御信号に基づいて前記表示部の表示パターンを制御する制御部とが設けられ、前記表示部と前記制御部、及び、前記制御部と前記スイッチ部が、配線ケーブルを用いて電気的に接続されている。そして、スイッチ部からの切替制御信号に基づいて前記表示部の表示パターンが制御される。【０００８】
表示モジュールは、独立した装置であっても良いし、１つの装置を構成している内部ブロックであっても良い。
【発明の効果】
【０００９】
本技術の一側面によれば、製品のデザイン性を向上させることができる表示モジュールを、様々なタイプの製品に適用可能とする。【００１０】
なお、ここに記載された効果は必ずしも限定されるものではなく、本開示中に記載されたいずれかの効果であってもよい。
【図面の簡単な説明】
【００１１】
【図１】本技術を適用した実施の形態としてのバッグの構成例を示す図である。
【図２】バッグの本体部を本体上部、本体底部、及び表示モジュールに分解した図である。
【図３】本体上部または本体底部と表示部との接続方法を説明する図である。
【図４】表示モジュールの制御ブロック図である。
【図５】マニュアルモードの場合の表示制御処理を説明するフローチャートである。
【図６】制御テーブルに基づく表示パターン制御を説明する図である。
【図７】オートモードの場合の表示制御処理を説明するフローチャートである。
【図８】本技術を適用したその他の実施の形態としてのリュックサックの構成例を示す図である。
【図９】表示モジュールのその他の構成例を示す図である。
【図１０】表示モジュールの接続部のその他の構成例を示す図である。
【発明を実施するための形態】
【００１２】
以下、本技術を実施するための形態（以下、実施の形態という）について説明する。なお、説明は以下の順序で行う。
１．バッグの構成例
２．制御ブロック図
３．マニュアルモード時の表示制御処理
４．オートモード時の表示制御処理
５．その他のバッグへの適用例
６．表示モジュールのその他の構成例
７．接続部のその他の構成
８．その他の物品への適用例
【００１３】
＜１．バッグの構成例＞
図１は、本技術を適用した実施の形態としてのバッグの構成例を示す図である。
【００１４】
図１のバッグ１は、収納部を構成する本体部１１と、肩ひも１２とで構成されるショルダーバッグである。本体部１１は、本体上部２１と、本体底部２２と、本体上部２１と本体底部２２の間の表示モジュール２３とを含む。
【００１５】
本体上部２１、本体底部２２、及び肩ひも１２の部材には、例えば、綿、麻などの布、革、ナイロンやポリエステルなどの合成繊維などの生地が用いられる。
【００１６】
表示モジュール２３は、曲面形状など、形態を柔軟に変形することが可能なフレキシブルディスプレイを含むモジュールである。フレキシブルディスプレイは、いわゆる電子ペーパやEPDとも呼ばれる、電気泳動型ディスプレイ（Electrophoretic Display）で構成されている。
【００１７】
電気泳動型ディスプレイの特徴は、低消費電力であることである。即ち、電気泳動型ディスプレイは、LCD (Liquid Crystal Display)で必要なバックライトが不要である。また、電気泳動型ディスプレイは、表示を切り替えるときのみ電流を流せばよく、表示を保持するために電流を流す必要がない。そのため、電気泳動型ディスプレイは、LCDなどと比較して、極めて低い消費電力で表示が可能である。
【００１８】
また、電気泳動型ディスプレイの他の特徴は、フレキシブル性である。即ち、電気泳動型ディスプレイは、極薄型のフィルム状であり、ある程度自由に形状を変形させることができる。
【００１９】
表示モジュール２３の表示柄（表示パターン）を切り替えるための柄変更スイッチ３１が、ユーザがバッグ使用時に操作しやすい箇所、例えば、本体上部２１の内側の肩ひも１２取付部付近に配置されている。
【００２０】
図２は、バッグ１の本体部１１を本体上部２１、本体底部２２、及び表示モジュール２３に分解した図である。
【００２１】
本体上部２１の表示モジュール２３側となる下側は、横幅が短く、縦方向（上下方向）の長さが長い細長形状の接続部４１が横方向に一定間隔で複数並んだ櫛歯形状となっている。
【００２２】
また、本体底部２２の表示モジュール２３側となる上側も、横幅が短く、縦方向の長さが長い細長形状の接続部４２が横方向に一定間隔で複数並んだ櫛歯形状となっている。
【００２３】
なお、接続部４１及び４２の断面形状は、接続部４１または４２全体として棒状となる円形状でもよいし、接続部４１または４２全体として平板状となる四角形状でもよい。
【００２４】
表示モジュール２３は、柄変更スイッチ３１、バッテリボックス３２、及び、表示部３３を含んで構成される。柄変更スイッチ３１とバッテリボックス３２は、ワイヤーハーネス３４で電気的に接続され、バッテリボックス３２と表示部３３もワイヤーハーネス３５で電気的に接続されている。ワイヤーハーネス３５は、表示部３３の接続端子６３に接続されている。ワイヤーハーネス３４及び３５は、複数の電気配線ケーブルの束である。
【００２５】
バッテリボックス３２には、第１の動作モードであるオートモードと、第２の動作モードであるマニュアルモードを切り替えるモード切替スイッチ５１が設けられている。
【００２６】
表示部３３は、シート状の薄型で可撓性を有し、平面方向において、外周部の非表示領域６０と、その内側の表示領域６１とで構成され、表示領域６１には電気泳動型ディスプレイが形成されている。表示領域６１には、本体上部２１の接続部４１または本体底部２２の接続部４２と接続するための接続部としての穴６２が複数設けられている。
【００２７】
図２は、表示部３３に設けられた多数の穴６２の配置を、隣りの列と半ピッチずれた市松配置とした例であるが、穴６２の配置は、これに限らず、例えば行列状に整列配置させてもよい。市松配置は、応力が均等に分散されるため好ましい。
【００２８】
また、穴６２の形状は、本実施の形態のように円形に限られない。例えば、正方形（四角形）や六角形などでもよい。
【００２９】
次に、図３を参照して、本体上部２１または本体底部２２と表示部３３との接続方法について説明する。
【００３０】
図３は、本体上部２１の細長形状の接続部４１の１つと表示部３３との接続状態を示す正面図と断面図である。
【００３１】
表示部３３には、縦方向（上下方向）に所定間隔で複数の穴６２が形成されており、図３に示されるように、本体上部２１の細長形状の接続部４１が複数の穴６２に通されることで、本体上部２１と表示部３３が接続されている。図３の例では、接続部４１が、所定の穴６２Aにおいて表示部３３の表面から裏面へ通され、所定の穴６２Bにおいて表示部３３の裏面から表面へ通され、所定の穴６２Eにおいて表示部３３の表面から裏面へ通されている。バッグ１において、穴６２を通された接続部４１が前面に配置された表示部３３の領域は、外観上、表示が変化しない非表示領域を構成する。
【００３２】
表示部３３の複数の穴６２を通された接続部４１の先端部は、本体底部２２と所定の固定方法（例えば、面ファスナーや縫合）で固定してもよいし、固定しなくてもよい。本体上部２１の内側には内袋６４が縫い付けられており、バッグ１に収められた物の荷重は、内袋６４によって支えられるため、表示部３３や本体底部２２には大きな荷重はかからない。
【００３３】
図３では、本体上部２１の細長形状の接続部４１と表示部３３との接続状態について説明したが、本体底部２２の接続部４２と表示部３３についても同様に、細長形状の接続部４２が表示部３３の複数の穴６２に通されることによって、本体底部２２と表示部３３が接続されている。
【００３４】
以上のように、表示モジュール２３には、バッグ１を構成する他の部材と接続する接続部として複数の穴６２が設けられており、他の部材（本体上部２１の細長形状の接続部４１や本体底部２２の細長形状の接続部４２）を穴６２に通すことによって、表示モジュール２３が他の部材と接続されている。これにより、例えば、ミシン縫いや接着紙で他の部材と接続する場合と比較して組み付けが容易となり、また分解も容易であるため、リワークも可能である。例えば、バッグ１の一部分の修理等するときに、表示モジュール２３の再利用が可能となり、サービス性が向上する。
【００３５】
また、表示モジュール２３は、柄変更スイッチ３１、バッテリボックス３２、及び、シート状の表示部３３の３つの部品をワイヤーハーネス３４と３５で接続した構成とされている。これにより、ワイヤーハーネス３４と３５の長さを変えるだけで、柄変更スイッチ３１とバッテリボックス３２のそれぞれを、バッグ１の使い勝手に応じた任意の箇所に配置することができる。ワイヤーハーネスはフレキシブル基板等と比較して屈曲や衝撃にも強いので、表示モジュール２３の信頼性も向上させることができる。
【００３６】
＜２．制御ブロック図＞
以上説明したように、表示モジュール２３は、バッグ１の外側を装飾する生地の一部として用いられるとともに、表示部３３は複数の表示柄を切り替えて表示することができ、バッグ１のデザイン性を向上させている。
【００３７】
次に、表示モジュール２３の表示柄の制御について説明する。
【００３８】
図４は、表示モジュール２３の制御ブロック図である。
【００３９】
表示モジュール２３は、上述したように、柄変更スイッチ３１、バッテリボックス３２、及び、表示部３３を含む。バッテリボックス３２は、モード切替スイッチ５１、加速度センサ５２、温度センサ５３、制御部５４、及び、バッテリ５５により構成される。
【００４０】
柄変更スイッチ３１は、表示モジュール２３の表示柄を切り替えるためのユーザの操作を検出し、その操作信号として、表示柄を切り替える切替制御信号を制御部５４に供給する。
【００４１】
モード切替スイッチ５１は、第１の動作モードであるオートモードと、第２の動作モードであるマニュアルモードを切り替えるためのユーザの操作を検出し、その操作信号として、動作モードを切り替える切替制御信号を制御部５４に供給する。
【００４２】
柄変更スイッチ３１及びモード切替スイッチ５１は、例えば、ボタンスイッチ、スライドスイッチ、プッシュスイッチ、レバースイッチ、ダイヤルスイッチ、タッチセンサなどで構成される。
【００４３】
オートモードは、ユーザの操作入力に関係なく、制御部５４が、自動で、表示部３３の表示パターンを決定して制御するモードである。動作モードがオードモードに設定された場合、制御部５４は、加速度センサ５２または温度センサ５３が出力するセンサ信号に基づいて表示部３３の表示パターンを決定する。マニュアルモードは、予め決められた複数種類の表示パターンのうち、柄変更スイッチ３１を操作することによりユーザが選択した表示パターンとなるように表示部３３を制御するモードである。
【００４４】
加速度センサ５２は、X軸、Y軸、Z軸の３軸の加速度を検出するセンサ（ジャイロセンサ）であり、検出結果をセンサ信号として制御部５４に供給する。
【００４５】
温度センサ５３は、バッテリボックス３２周辺の温度を検出するセンサであり、検出結果をセンサ信号として制御部５４に供給する。
【００４６】
制御部５４は、表示部３３の電気泳動型ディスプレイの駆動を制御する。動作モードがマニュアルモードに設定されている場合、制御部５４は、柄変更スイッチ３１の操作に応じて、表示部３３の表示パターンを制御する。一方、動作モードがオートモードに設定されている場合、制御部５４は、加速度センサ５２または温度センサ５３が出力するセンサ信号に基づいて表示部３３の表示パターンを制御する。
【００４７】
制御部５４は、例えば、マイクロコンピュータ、CPUなどを用いて、表示部３３の電気泳動型ディスプレイを駆動するドライバソフトウエアを実行することにより実現することができる。
【００４８】
バッテリ５５は、表示モジュール２３の各部へ電源を供給する。
【００４９】
表示部３３は、電気泳動型ディスプレイで構成される。
【００５０】
電気泳動型ディスプレイの構造について簡単に説明する。
【００５１】
電気泳動型ディスプレイは、例えば、マイクロカプセル充填層の上面と下面を電極層で挟み込んだ構造とされており、ユーザに視認される側の電極層は、ITO（インジウム錫オキサイド）やZnOなどの透明電極層で構成されている。
【００５２】
マイクロカプセル充填層には、単一もしくは複数の粒子を含むマイクロカプセルが、透明な溶液内に充填されている。例えば、マイクロカプセル充填層のマイクロカプセル内に白色粒子と黒色粒子の２つの粒子が充填されている場合、表示面側の透明電極層に正の電圧が印加されると、その透明電極層側に、負に帯電されている白色粒子が集まり、白（色）が表示される。反対に、表示面側の透明電極層に負の電圧が印加されると、その透明電極層側に、正に帯電されている黒色粒子が集まり、黒（色）が表示される。このように、電気泳動型ディスプレイでは、電極層に印加する電圧を制御することで、白または黒の表示が可能となる。また、印加電圧を複数段階に設定することにより、白色と黒色の中間階調の表示（グレイ表示）も可能となる。
【００５３】
電気泳動型ディスプレイの特徴は、低消費電力であることである。即ち、電気泳動型ディスプレイは、LCD (Liquid Crystal Display)で必要なバックライトが不要である。また、電気泳動型ディスプレイは、表示を切り替えるときのみ電流を流せばよく、表示を保持するために電流を流す必要がない。そのため、電気泳動型ディスプレイは、LCDなどと比較して、極めて低い消費電力で表示が可能である。
【００５４】
また、電気泳動型ディスプレイの他の特徴は、フレキシブル性である。即ち、電気泳動型ディスプレイは、極薄型のフィルム状であり、ある程度自由に形状を変形させることができる。
【００５５】
なお、電気泳動型ディスプレイは、上述したマイクロカプセル方式に限定される必要はない。さらに、電子ペーパの表示方式として知られる電気泳動型以外の他の方式によるものでもよい。即ち、表示部３３のフレキシブルディスプレイとしては、紙の長所とされる視認性や携帯性を保った表示媒体のうち、表示内容を電気的に書き換えることができる電子ペーパであれば方式は限定されない。
【００５６】
本実施の形態の表示部３３の電気泳動型ディスプレイは、例えば、-15.0Vから＋15.0Vまでの電圧を印加することが可能であり、-15.0Vが印加されると黒（色）を表示し、＋15.0Vの電圧が印加されると白（色）を表示する。また、-15.0Vと＋15.0Vとの間の中間電圧（例えば、-3.0V）が印加された場合、中間階調のグレイ（色）を表示することができる。また、PWM（pulse width modulation）制御によりパルス幅を変更することで中間階調のグレイ（色）を表示することもできる。
【００５７】
表示部３３は、制御部５４からの制御に基づき、所定の表示パターンによる表示を行う。ここで、表示パターンとは、表示領域６１の表示色（白色、黒色、中間階調のグレイ色）で構成される柄または模様を表す。バッグ１において、表示部３３の表示パターンの変更は、バッグ１の柄の変更に相当する。
【００５８】
＜３．マニュアルモード時の表示制御処理＞
次に、図５のフローチャートを参照して、動作モードがマニュアルモードに設定されている場合の表示制御処理について説明する。図５の表示制御処理は、例えば、モード切替スイッチ５１によって動作モードがマニュアルモードに設定されたとき開始される。
【００５９】
初めに、ステップＳ１において、制御部５４は、柄変更スイッチ３１がユーザによって操作されたかを判定する。そして、柄変更スイッチ３１が操作されたと判定されるまで、ステップＳ１の処理が繰り返される。
【００６０】
ステップＳ１で、柄変更スイッチ３１が操作されたと判定された場合、処理はステップＳ２に進み、制御部５４は、内部メモリに記憶されている制御テーブルを参照し、表示部３３の表示パターンを、次の表示パターンに変更する。
【００６１】
例えば、制御部５４の内部メモリには、図６のAに示されるような、表示パターンAないしDの４種類の表示パターンについてのSEG１ないしSEG４の各端子の印加電圧と印加期間が記憶されている。SEG１ないしSEG４の各端子は、例えば、図６のBに示されるような表示部３３の四隅に配置されている。
【００６２】
表示パターンAは、印加期間を1.0secとしてSEG１ないしSEG４の各端子に-3.0Vを印加することによって、表示部３３をグレイで表示させる表示パターンである。
【００６３】
表示パターンBは、印加期間を0.5secとしてSEG１ないしSEG４の各端子に-15.0Vを印加することによって、表示部３３を黒で表示させる表示パターンである。
【００６４】
表示パターンCは、SEG１とSEG４の端子には印加期間を1.5secとして15.0Vを印加し、SEG２とSEG３の端子にはSEG１とSEG４の印加期間1.5secのうちの最後の1.0secのみ、-10.0Vを印加することによって、表示部３３を縦方向の白から黒のグラデーションで表示させる表示パターンである。
【００６５】
表示パターンDは、印加期間を0.5secとしてSEG１ないしSEG４の各端子に+15.0Vを印加することによって、表示部３３を白で表示させる表示パターンである。
【００６６】
制御部５４は、動作モードがマニュアルモードに変更された直後は、予め決定された所定の表示パターン（例えば、表示パターンA）となるように表示部３３を制御する。そして、制御部５４は、柄変更スイッチ３１が操作される度に、表示パターンを、A,B,C,D,A,B,...の順で変更する。
【００６７】
例えば、ステップＳ１で柄変更スイッチ３１が操作されたと判定され、現在の表示パターンが表示パターンAである場合、制御部５４は、表示部３３の表示パターンを、次の表示パターンBに変更する。
【００６８】
例えば、ステップＳ１で柄変更スイッチ３１が操作されたと判定され、現在の表示パターンが表示パターンCである場合、制御部５４は、表示部３３の表示パターンを、次の表示パターンDに変更する。
【００６９】
例えば、ステップＳ１で柄変更スイッチ３１が操作されたと判定され、現在の表示パターンが表示パターンDである場合、制御部５４は、表示部３３の表示パターンを、次の表示パターンAに変更する。
【００７０】
なお、表示パターンの種類は、上述のように４種類に限られず、より多くの表示パターンを表示できるように制御テーブルを用意することができる。表示パターンの種類が上述のように４種類であれば、４回の操作で最初の表示パターンに戻ることができるが、表示パターンの種類が多い場合には最初の表示パターンに戻るための操作回数が多くなる。そこで例えば、制御部５４は、柄変更スイッチ３１の長押し操作など所定の操作を検出した場合に、最初の表示パターンを表示させるように制御する。
【００７１】
図５のステップＳ２で、表示部３３の表示パターンが、次の表示パターンに変更された後、処理はステップＳ１に戻り、動作モードがオートモードに変更されるまで、上述したステップＳ１及びＳ２が繰り返される。
【００７２】
以上のように、動作モードがマニュアルモードに設定されている場合、柄変更スイッチ３１の操作に応じて、表示部３３の表示パターンが変更される。
【００７３】
＜４．オートモード時の表示制御処理＞
次に、図７のフローチャートを参照して、動作モードがオートモードに設定されている場合の表示制御処理について説明する。図７の表示制御処理は、例えば、モード切替スイッチ５１によって動作モードがオートモードに設定されたとき開始される。
【００７４】
初めに、ステップＳ１１において、制御部５４は、加速度センサ５２が出力するセンサ信号に基づいて、バッグ１の状態変化を検出したかを判定する。そして、バッグ１の状態変化を検出したと判定されるまで、ステップＳ１１の処理が繰り返される。
【００７５】
例えば、ユーザがバッグ１を持ち上げる、バッグ１を傾ける、などの動作を行った場合、その動作に応じてX軸、Y軸、及びZ軸の少なくとも１軸の加速度が加速度センサ５２によって検出され、制御部５４に供給される。制御部５４は、検出された加速度が所定の閾値以上である場合、ステップＳ１１においてバッグ１の状態変化を検出したと判定する。
【００７６】
ステップＳ１１で、バッグ１の状態変化を検出したと判定された場合、処理はステップＳ１２に進み、制御部５４は、加速度センサ５２の出力値に応じて所定の表示パターンを決定して、表示部３３に表示させる。
【００７７】
オートモードでは、加速度センサ５２の出力値に応じて、制御テーブルの複数の表示パターンのどの表示パターンを選択するかが予め決定されている。
【００７８】
例えば、X軸、Y軸、及びZ軸のうち、最も大きい加速度を示した軸がX軸である場合には、表示パターンAが選択される。最も大きい加速度を示した軸がY軸である場合には、表示パターンBが選択される。最も大きい加速度を示した軸がZ軸である場合には、表示パターンDが選択される。
【００７９】
また例えば、Z軸方向の加速度が所定の閾値を超えた場合に、表示パターンCを選択し、それ以外の状態では、表示パターンDを選択することが予め決定されている。
【００８０】
あるいは、マニュアルモード時に利用される制御テーブルを用いずに、表示部３３の表示パターンを決定してもよい。
【００８１】
例えば、検出され得るX軸、Y軸、及びZ軸の加速度の絶対値を、それぞれ、SEG１ないしSEG３の各端子の-15.0Vないし＋15.0Vの印加電圧に割り当て、検出された加速度の絶対値に応じてSEG１ないしSEG３の各端子の印加電圧を制御することで、表示部３３の表示パターンを決定してもよい。
【００８２】
また例えば、検出されたX軸、Y軸、及びZ軸の加速度の絶対値を、ランダム値を算出する際のシード（seed）として使用し、算出されたランダム値の電圧をSEG１ないしSEG４の各端子に印加することで、表示部３３の表示パターンを決定してもよい。
【００８３】
SEG１ないしSEG４の各端子の印加電圧をそれぞれ異なる電圧に制御することで、グラデーション表現が可能となり、表現の幅が広がり、バッグ１のデザイン性が向上する。
【００８４】
図７のステップＳ１２で、表示部３３の表示パターンが、所定の表示パターンに変更された後、処理はステップＳ１１に戻り、動作モードがマニュアルモードに変更されるまで、上述したステップＳ１１及びＳ１２が繰り返される。
【００８５】
以上のように、動作モードがオートモードに設定されている場合、加速度センサ５２の出力値に応じて、表示部３３の表示パターンが自動で変更される。
【００８６】
図７のフローチャートで説明したオートモード時の表示制御処理は、加速度センサ５２の出力値に基づいて、表示部３３の表示パターンを制御する処理である。表示モジュール２３は、同様に、温度センサ５３の出力値に基づいて、表示部３３の表示パターンを制御することもできる。加速度センサ５２と温度センサ５３のどちらの出力値に基づいて表示部３３の表示パターンを制御するかをユーザが選択できるようにしてもよい。
【００８７】
＜５．その他のバッグへの適用例＞
本開示の表示モジュール２３は、柄変更スイッチ３１、バッテリボックス３２、及び、シート状の表示部３３の３つの部品をワイヤーハーネス３４と３５で接続した構成とした。これにより、ワイヤーハーネス３４と３５の長さを変えるだけで、柄変更スイッチ３１とバッテリボックス３２を任意の箇所に配置することができる。
【００８８】
また、ワイヤーハーネス３４と３５の長さを変えることで、柄変更スイッチ３１とバッテリボックス３２を任意の箇所に配置することができるので、表示モジュール２３を、様々なタイプのバッグに用いることができる。
【００８９】
図８は、表示モジュール２３をその他のバッグに適用した例として、リュックサックの例を示す図である。
【００９０】
図８のリュックサック８１は、袋体９１及び肩ベルト９２を含み、袋体９１は、上側袋体１０１、下側袋体１０２、及び、表示モジュール２３を含む。表示モジュール２３は、図３を参照して説明したように、上側袋体１０１及び下側袋体１０２の細長形状の接続部が複数の穴６２に通されることによって、上側袋体１０１及び下側袋体１０２と接続されている。
【００９１】
表示モジュール２３の柄変更スイッチ３１は、リュックサック８１の使い勝手を考慮して、リュックサック８１を背負ったときにユーザの胸元付近となる肩ベルト９２の所定箇所に配置されている。
【００９２】
このように、表示モジュール２３は、柄変更スイッチ３１とバッテリボックス３２を任意の箇所に配置することができるので、様々なタイプのバッグに適用可能とすることができる。即ち、表示柄を様々に変えることでデザイン性を向上させた表示モジュール２３を様々なタイプのバッグに適用することができる。
【００９３】
＜６．表示モジュールのその他の構成例＞
図９は、表示モジュール２３のその他の構成例を示している。
【００９４】
上述した表示モジュール２３の構成では、図２に示したように、接続部として機能する複数の穴６２が、電気泳動型ディスプレイ部分である表示領域６１に形成されていた。
【００９５】
これに対し、図９に示される表示モジュール２３では、接続部として機能する複数の穴６２が、外周部の非表示領域６０に形成されている。このように、接続部としての複数の穴６２は、シート状の表示部３３の周辺部のみに形成されるようにしてもよい。なお、図２及び図９では、シート状の表示部３３の平面形状を四角形状としているが、表示部３３の平面形状は、組み立てるバッグの形状に適した任意の形状（例えば、台形形状）とすることができる。
【００９６】
＜７．接続部のその他の構成＞
図１０は、表示モジュール２３の接続部のその他の構成例を示す図である。
【００９７】
図１０に示されるバッグ１の表示モジュール２３では、本体上部２１及び本体底部２２と接続する接続部として、上述した複数の穴６２に代わる構成が採用されている。
【００９８】
具体的には、図１０のバッグ１の表示モジュール２３では、本体上部２１及び本体底部２２と接続する接続部として、複数のスナップボタン１２１が設けられている。スナップボタン１２１を用いることにより、表示部３３の取り外しを簡単に行うことができる。表示部３３の接続端子６３（不図示）は、例えば、USB（Universal Serial Bus）コネクタなどを用いて、ワイヤーハーネス３５と簡単に着脱可能とされている。表示部３３が取り付けられる領域を、例えば、バッグ１のポケット部分の表面とし、表示部３３と一体とされたポケットを付け替えることで、異なる表示パターンが表示可能なポケットを実現することができる。
【００９９】
＜８．その他の物品への適用例＞
上述した実施の形態では、デザイン性を向上させる表示モジュール２３を各種のバッグ（バッグ１及びリュックサック８１）に適用した例について説明した。この場合、表示モジュール２３のシート状の表示部３３は、バッグの組立てに適したサイズ及び形状に成形されるが、本開示の表示モジュール２３は、例えば、靴、服、メガネなど、バッグ以外の物品にも適用することが可能である。表示部３３のサイズ及び形状は、適用する物品に応じたサイズ及び形状で設計され、ワイヤーハーネス３４と３５の長さを変えるだけで柄変更スイッチ３１及びバッテリボックス３２を任意の個所に配置可能な特徴を利用して、特定サイズ及び特定形状の表示モジュール２３を多種多様な同一物品に適用することができる。
【０１００】
本技術の実施の形態は、上述した実施の形態に限定されるものではなく、本技術の要旨を逸脱しない範囲において種々の変更が可能である。
【０１０１】
例えば、上述した実施の形態の全てまたは一部を適宜組み合わせた形態を採用することができる。
【０１０２】
また例えば、上述した実施の形態では、表示モジュール２３は、第１のセンサとして加速度センサ５２を備え、第２のセンサとして温度センサ５３を備えていたが、いずれか一方のみを備えた構成でもよい。
【０１０３】
あるいはまた、第１のセンサ若しくは第２のセンサとして、または、第３のセンサとして、加速度センサ５２及び温度センサ５３以外のセンサを備えてもよい。例えば、第２のセンサとして明るさセンサ（照度センサ）を備え、その検出結果に基づいて、SEG１ないしSEG４の各端子の印加電圧を変更し、表示パターンを変更してもよい。換言すれば、表示モジュール２３が備えるセンサは、加速度センサ５２及び温度センサ５３に限られない。
【０１０４】
上述した実施の形態では、表示部３３が有するシート状の薄型で可撓性を有するディスプレイとして電気泳動型ディスプレイに代表される電子ペーパを採用した例について説明したが、その他、有機EL (Electro Luminescence)ディスプレイを採用してもよい。
【０１０５】
本明細書に記載された効果はあくまで例示であって限定されるものではなく、本明細書に記載されたもの以外の効果があってもよい。
【０１０６】
なお、本技術は以下のような構成も取ることができる。
（１）
可撓性を有するシート状の表示部と、
前記表示部の表示パターンを切り替えるスイッチ部と、
前記スイッチ部からの切替制御信号に基づいて前記表示部の表示パターンを制御する制御部と
を備え、
前記表示部と前記制御部、及び、前記制御部と前記スイッチ部は、配線ケーブルを用いて電気的に接続されている
表示モジュール。
（２）
前記表示部は、他の部材と接続するための接続部を有する
前記（１）に記載の表示モジュール。
（３）
前記接続部は、複数の穴で構成され、
細長形状の前記他の部材が前記穴に通されることで、前記他の部材と前記表示部が接続される
前記（２）に記載の表示モジュール。
（４）
前記穴を通した細長形状の前記他の部材が前面に配置された前記表示部の領域は、外観上、前記制御部による制御によって表示が変化しない非表示領域を構成する
前記（３）に記載の表示モジュール。
（５）
所定の状態を検出するセンサをさらに備え、
前記制御部は、さらに、前記センサが出力するセンサ信号に基づいて前記表示部の表示パターンを制御する
前記（１）乃至（４）のいずれかに記載の表示モジュール。
（６）
前記スイッチ部からの切替制御信号に基づいて前記表示パターンを切り替える第１の動作モードと、センサ信号に基づいて前記表示パターンを切り替える第２の動作モードとを切り替えるモードスイッチ部をさらに備える
前記（１）乃至（５）のいずれかに記載の表示モジュール。
（７）
前記接続部は、前記表示部の表示領域に形成されている
前記（２）乃至（４）のいずれかに記載の表示モジュール。
（８）
前記表示部は、表示領域と、その周辺の非表示領域とで構成され、
前記接続部は、前記非表示領域に形成されている
前記（２）乃至（４）、または（７）のいずれかに記載の表示モジュール。
（９）
前記他の部材は、バッグの生地である
前記（２）乃至（４）、（７）、または（８）のいずれかに記載の表示モジュール。
（１０）
可撓性を有するシート状の表示部と、
前記表示部の表示パターンを切り替えるスイッチ部と、
前記スイッチ部からの切替制御信号に基づいて前記表示部の表示パターンを制御する制御部と
を有する表示モジュールを備え、
前記表示モジュールが細長形状の部材を前記表示部の穴に通すことで固定されている
バッグ。
【符号の説明】
【０１０７】
１  バッグ，  １１  本体部，  ２１  本体上部，  ２２  本体底部，  ２３  表示モジュール，  ３１  柄変更スイッチ，  ３２  バッテリボックス，  ３３  表示部，  ３４,３５  ワイヤーハーネス，  ４１,４２  接続部，  ５１  モード切替スイッチ，  ５２  加速度センサ，  ５３  温度センサ，  ５４  制御部，  ５５  バッテリ，  ６０  非表示領域，  ６１  表示領域，  ６２  穴，  ８１  リュックサック，  １２１  スナップボタン
【図１】
2017199770.tif 000003
【図２】
2017199770.tif 000004
【図３】
2017199770.tif 000005
【図４】
2017199770.tif 000006
【図５】
2017199770.tif 000007
【図６】
2017199770.tif 000008
【図７】
2017199770.tif 000009
【図８】
2017199770.tif 000010
【図９】
2017199770.tif 000011
【図１０】
2017199770.tif 000012
【国際調査報告】
2017199770.tif 000013
2017199770.tif 000014
2017199770.tif 000015
2017199770.tif 000016